【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
アクセスポイントについての予想エアタイムパラメータを、ワイヤレス通信デバイスによって、受信することと、ここにおいて、前記予想エアタイムパラメータは、前記ワイヤレス通信デバイスと前記アクセスポイントとの間の通信のための推定エアタイムフラクションである、
前記推定エアタイムフラクションに少なくとも部分的に基づいて、通信のために前記アクセスポイントを使用するかどうかを決定することと
を備える方法。
【請求項２】
前記推定エアタイムフラクションを受信することは、
前記アクセスポイントによってブロードキャストされたワイヤレスビーコンを受信すること
を備え、前記ワイヤレスビーコンは、前記推定エアタイムフラクションを備える、
請求項１に記載の方法。
【請求項３】
前記アクセスポイントを使用するかどうかを決定することは、
第２のネットワークから前記アクセスポイントを備える第１のネットワークにトラフィックをステアリングするかどうかを決定すること
を備える、請求項１に記載の方法。
【請求項４】
ワイヤレス通信デバイスであって、
アクセスポイントについての予想エアタイムパラメータを受信するための受信機と、ここにおいて、前記予想エアタイムパラメータは、前記ワイヤレス通信デバイスと前記アクセスポイントとの間の通信のための推定エアタイムフラクションである、
プロセッサと、
ワイヤレス通信のためのコンピュータ実行可能なコードを格納するメモリと、
を備え、前記コードは、
前記推定エアタイムフラクションに少なくとも部分的に基づいて、通信のために前記アクセスポイントを使用するかどうかを決定すること
を前記ワイヤレス通信デバイスに行わせるように前記プロセッサによって実行可能である、
ワイヤレス通信デバイス。
【請求項５】
ワイヤレス通信のための方法であって、
予想エアタイムパラメータを、アクセスポイントによって、決定することと、ここにおいて、前記予想エアタイムパラメータは、前記アクセスポイントにおける現在のネットワーク条件に基づいた、ワイヤレス通信デバイスと前記アクセスポイントとの間の通信のための推定エアタイムフラクションである、
前記推定エアタイムフラクションを送信することと、
を備える方法。
【請求項６】
ワイヤレス通信のためのアクセスポイントであって、
プロセッサと、
ワイヤレス通信のためのコンピュータ実行可能なコードを格納するメモリと、前記コードは、
予想エアタイムパラメータを決定すること、ここにおいて、前記予想エアタイムパラメータは、前記アクセスポイントにおける現在のネットワーク条件に基づいた、ワイヤレス通信デバイスと前記アクセスポイントとの間の通信のための推定エアタイムフラクションである、
を前記アクセスポイントに行わせるように前記プロセッサによって実行可能である、
前記推定エアタイムフラクションを送信するための送信機と、
を備える、アクセスポイント。
【請求項７】
ワイヤレス通信のためのコンピュータ実行可能なコードを格納する非一時的なコンピュータ読取可能な媒体であって、前記コードは、請求項１〜請求項３または請求項５のうちのいずれか一項に記載の方法のステップをデバイスに実行させるようにプロセッサによって実行可能である、非一時的なコンピュータ読取可能な媒体。
【手続補正２】
【補正対象書類名】明細書
【補正対象項目名】０１３３
【補正方法】変更
【補正の内容】
【０１３３】
[0153]本開示の先の説明は、当業者が本開示を実行または使用することを可能にするために提供される。本開示に対するさまざまな修正は当業者には容易に明らかであり、本明細書で定義された包括的な原理は、本開示の精神または範囲から逸脱することなく、他の変形に適用され得る。ゆえに、本開示は、本明細書で説明された例および設計に限定されず、本明細書で開示された原理および新規な特徴に合致する最も広い範囲が与えられるべきである。
以下に本願の出願当初の特許請求の範囲に記載された発明を付記する。
[Ｃ１]  ワイヤレス通信のための方法であって、
アクセスポイントについての予想エアタイムパラメータを、通信デバイスによって、受信することと、
前記予想エアタイムパラメータに少なくとも部分的に基づいて、通信のために前記アクセスポイントを使用するかどうかを決定することと
を備える方法。
[Ｃ２]  前記アクセスポイントを使用するかどうかを決定することは、
前記アクセスポイントとのアソシエーションをトリガすること、前記アクセスポイントへのローミングをトリガすること、および前記アクセスポイントへのトラフィックのステアリングをトリガすることからなるグループからのアクションを実行するかどうかを、前記予想エアタイムパラメータに少なくとも部分的に基づいて、決定すること
を備える、Ｃ１に記載の方法。
[Ｃ３]  前記アクセスポイントについての前記予想エアタイムパラメータを受信することは、  前記アクセスポイントによってブロードキャストされたワイヤレスビーコンを受信すること
を備え、前記ワイヤレスビーコンは、前記予想エアタイムパラメータを備える、
Ｃ１に記載の方法。
[Ｃ４]  前記予想エアタイムパラメータを前記アクセスポイント以外のノードに送信すること  をさらに備える、Ｃ３に記載の方法。
[Ｃ５]  前記アクセスポイントを使用するかどうかを決定することは、
ワイヤレス局と前記アクセスポイントとの間の通信のために前記アクセスポイントを使用するかどうかを、前記予想エアタイムパラメータに少なくとも部分的に基づいて、決定すること
を備える、Ｃ３に記載の方法。
[Ｃ６]  前記予想エアタイムパラメータは、前記ワイヤレスビーコンの推定サービスパラメータ部分に位置する、
Ｃ３に記載の方法。
[Ｃ７]  前記予想エアタイムパラメータは、前記アクセスポイントを使用した通信のために取得可能な推定エアタイムフラクションを示す、
Ｃ１に記載の方法。
[Ｃ８]
前記アクセスポイントを使用した通信のために取得可能な推定エアタイムフラクションを、前記予想エアタイムパラメータに少なくとも部分的に基づいて、決定すること
をさらに備える、Ｃ１に記載の方法。
[Ｃ９]  前記予想エアタイムパラメータは、前記アクセスポイントによってアクティブにサービスされている局の数、平均のチャネルアクセスレイテンシ、および物理プロトコルデータユニット伝送時間からなるグループからの少なくとも１つのパラメータを備える、
Ｃ８に記載の方法。
[Ｃ１０]  前記アクセスポイントを使用するかどうかを決定することは、
第２のネットワークから前記アクセスポイントを備える第１のネットワークにトラフィックをステアリングするかどうかを決定すること
を備える、Ｃ１に記載の方法。
[Ｃ１１]  前記アクセスポイントについての前記予想エアタイムパラメータを受信することは、対応する複数のアクセスポイントのための複数の予想エアタイムパラメータを受信することを備え、
前記アクセスポイントを使用するかどうかを決定することは、前記複数のアクセスポイントについての前記予想エアタイムパラメータに少なくとも部分的に基づいて、前記複数のアクセスポイントのうちの１つを選択することを備える、
Ｃ１に記載の方法。
[Ｃ１２]  前記複数のアクセスポイントの各々のための推定スループットを決定することと、
前記複数のアクセスポイントの前記推定スループットを比較することと、
をさらに備え、
前記複数のアクセスポイントのうちの１つを選択することは、前記比較することの結果に少なくとも部分的に基づく、
Ｃ１１に記載の方法。
[Ｃ１３]  アソシエーションのために前記複数のアクセスポイントのうちの１つを選択することは、ローミング動作の一部として実行される、
Ｃ１１に記載の方法。
[Ｃ１４]  ワイヤレス通信のための装置であって、
アクセスポイントについての予想エアタイムパラメータを受信するための受信機と、  プロセッサと、
ワイヤレス通信のためのコンピュータ実行可能なコードを格納するメモリと、
を備え、前記コードは、
前記予想エアタイムパラメータに少なくとも部分的に基づいて、通信のために前記アクセスポイントを使用するかどうかを決定すること
を前記装置に行わせるように前記プロセッサによって実行可能である、
装置。
[Ｃ１５]  前記コードは、
前記アクセスポイントとのアソシエーションをトリガすること、前記アクセスポイントへのローミングをトリガすること、および前記アクセスポイントへのトラフィックのステアリングをトリガすることからなるグループからのアクションを実行するかどうかを、前記予想エアタイムパラメータに少なくとも部分的に基づいて、決定すること
によって、前記アクセスポイントを使用するかどうかを決定することを前記装置に行わせるように前記プロセッサによって実行可能である、
請Ｃ１４に記載の装置。
[Ｃ１６]  前記受信機は、前記アクセスポイントによってブロードキャストされたワイヤレスビーコンを受信するものであり、前記ワイヤレスビーコンは、前記予想エアタイムパラメータを備える、
Ｃ１４に記載の装置。
[Ｃ１７]  前記予想エアタイムパラメータは、前記ワイヤレスビーコンの推定サービスパラメータ部分に位置する、
Ｃ１６に記載の装置。
[Ｃ１８]  前記予想エアタイムパラメータは、前記アクセスポイントを使用した通信のために取得可能な推定エアタイムフラクションを示す、
Ｃ１４に記載の装置。
[Ｃ１９]  前記コードは、
前記アクセスポイントを使用した通信のために取得可能な推定エアタイムフラクションを、前記予想エアタイムパラメータに少なくとも部分的に基づいて、決定すること
を前記装置に行わせるように前記プロセッサによって実行可能である、Ｃ１４に記載の装置。
[Ｃ２０]  ワイヤレス通信のためのコンピュータ実行可能なコードを格納する非一時的なコンピュータ読取可能な媒体であって、前記コードは、
アクセスポイントについての予想エアタイムパラメータを、通信デバイスによって、受信することと、
前記予想エアタイムパラメータに少なくとも部分的に基づいて、通信のために前記アクセスポイントを使用するかどうかを決定すること、
をデバイスに行わせるようにプロセッサによって実行可能である、
非一時的なコンピュータ読取可能な媒体。
[Ｃ２１]  前記アクセスポイントを使用するかどうかを決定することは、
前記アクセスポイントとのアソシエーションをトリガすること、前記アクセスポイントへのローミングをトリガすること、および前記アクセスポイントへのトラフィックのステアリングをトリガすることからなるグループからのアクションを実行するかどうかを、前記予想エアタイムパラメータに少なくとも部分的に基づいて、決定すること、
を備える、Ｃ２０に記載の非一時的なコンピュータ読取可能な媒体。
[Ｃ２２]  前記アクセスポイントについての前記予想エアタイムパラメータを受信することは、  前記アクセスポイントによってブロードキャストされたワイヤレスビーコンを受信することを備え、前記ワイヤレスビーコンは、前記予想エアタイムパラメータを備える、
Ｃ２０に記載の非一時的なコンピュータ読取可能な媒体。
[Ｃ２３]  ワイヤレス通信のための方法であって、
アクセスポイントにおける現在のネットワーク条件に基づいて、予想エアタイムパラメータを、前記アクセスポイントによって、決定することと、
前記予想エアタイムパラメータを送信することと、
を備える方法。
[Ｃ２４]  前記予想エアタイムパラメータを要求する要求メッセージを、通信デバイスから、受信すること
をさらに備え、
前記予想エアタイムパラメータを送信することは、前記要求メッセージに応答して、前記予想エアタイムパラメータを含む応答メッセージを前記通信デバイスに送信することを備える、
Ｃ２３に記載の方法。
[Ｃ２５]  前記予想エアタイムパラメータを送信することは、
ワイヤレスビーコンにおいて前記予想エアタイムパラメータをブロードキャストすること
を備える、Ｃ２３に記載の方法。
[Ｃ２６]  前記予想エアタイムパラメータは、前記ワイヤレスビーコンの推定サービスパラメータ部分に位置する、
Ｃ２５に記載の方法。
[Ｃ２７]  前記予想エアタイムパラメータは、ワイヤレス局と前記アクセスポイントとの間の通信のために取得可能な推定エアタイムフラクションを示す、
Ｃ２３に記載の方法。
[Ｃ２８]  前記ワイヤレス局と前記アクセスポイントとの間の通信のために取得可能な前記推定エアタイムフラクションを決定すること
をさらに備え、
前記予想エアタイムパラメータは、前記推定エアタイムフラクションを備える、
Ｃ２７に記載の方法。
[Ｃ２９]  前記推定エアタイムフラクションは、前記アクセスポイントによってアクティブにサービスされている局の数、平均のチャネルアクセスレイテンシ、および物理プロトコルデータユニット伝送時間からなるグループからのパラメータに少なくとも部分的に基づいて決定される、
Ｃ２８に記載の方法。
[Ｃ３０]  前記予想エアタイムパラメータは、前記推定エアタイムフラクションを決定する際に前記ワイヤレス局が使用するためのパラメータを備える、
Ｃ２７に記載の方法。